(57)【要約】      （修正有）【課題】鍵の寸法を抑えながら鍵を筐体に固く固定できる鍵装置を提供する。【解決手段】鍵装置１００は、筐体が、入口から奥１６５−４に向けて窪んでいる収容部１６５と、鍵１２０を着脱可能に固定する固定部材１３０とを含む。鍵１２０の先端１２１は、鍵１２０が収容部１６５に収容されたときに奥１６５−４側に位置する。鍵１２０の基端は、鍵１２０が収容部１６５に収容されたときに入口側に位置する。鍵１２０が、錠操作に使用される凹凸が形成された鍵本体１２４と、鍵本体１２４に接続された鍵ヘッド１２５とを含む。鍵ヘッド１２５が、係合部１２５−１を有し、固定部材１３０が、係合部１２５−１に係合して鍵１２０を固定する第１位置と、係合部１２５−１との係合を解除して鍵１２０を移動可能にする第２位置と、に移動可能な構成とした。【選択図】図８
2018162646.tif 000002
【特許請求の範囲】
【請求項１】
鍵と筐体とを備える鍵装置であって、
前記筐体が、
入口と、
前記入口から奥に向けて窪んでいる収容部と、
前記鍵を着脱可能に固定する固定部材と、
を含み、
前記鍵が、先端と基端と中継部とを含み、
前記先端は、前記鍵が前記収容部に収容されたときに前記収容部の前記奥側に位置し、
前記基端は、前記鍵が前記収容部に収容されたときに前記収容部の前記入口側に位置し、
前記中継部は、前記先端と前記基端との間に位置し、
前記鍵が、
錠操作に使用される凹凸が形成された鍵本体と、
前記鍵本体に接続された鍵ヘッドと、
を含み、
前記鍵本体が、前記先端と前記中継部との間に延びており、
前記鍵ヘッドが、前記中継部と前記基端との間に延びており、
前記鍵ヘッドが、係合部を有し、
前記固定部材が、
前記係合部に係合して前記鍵を固定する第１位置と、
前記係合部との係合を解除して前記鍵を移動可能にする第２位置と、に移動可能である、
鍵装置。
【請求項２】
前記固定部材を付勢する付勢部材をさらに備え、
前記固定部材が、前記筐体により前記第１位置と前記第２位置との間で回転可能に支持されており、
前記固定部材が、操作部を含み、
前記操作部が前記筐体内に向けて移動するのに伴って、前記固定部材が前記第１位置から前記第２位置に回転し、
前記操作部が前記筐体外に向けて移動するのに伴って、前記固定部材が前記第２位置から前記第１位置に回転し、
前記付勢部材が、前記固定部材を前記第２位置から前記第１位置に向かう方向に付勢している、
請求項１に記載の鍵装置。
【請求項３】
前記筐体が、
外部に露出した外面と、
前記外面に開口した開口部と、
を含み、
前記固定部材の一部が前記開口部から前記筐体の外部に露出しており、
前記操作部の少なくとも一部が、前記開口部上の２点を結ぶすべての直線により形成される仮想領域に交差する位置にある状態において、前記固定部材と前記係合部とが係合し、
前記仮想領域よりも前記筐体の内側に前記操作部が押し込まれた状態において、前記固定部材と前記係合部との係合が解除される、
請求項２に記載の鍵装置。
【請求項４】
前記係合部が、第１当接面をもち、
前記固定部材が、第２当接面をもち、
前記第１当接面と前記第２当接面との一方の面が凸状の曲面であり、他方の面が略平面であり、
前記他方の面が、前記鍵の移動方向と前記移動方向に直交する方向との両方に対して交差し、
前記係合部と前記固定部材とが係合しているときに、前記固定部材の一部が、前記鍵ヘッドの一部と前記入口との間に位置し、
前記係合部と前記固定部材とが係合しているときに、前記第２当接面が前記入口側から前記奥側に向けて第１当接面に当接する、
請求項１乃至請求項３の何れか一項に記載の鍵装置。
【請求項５】
前記固定部材が、前記第１位置から前記第２位置に回転するときに前記鍵ヘッドを前記入口に向けて押圧する押圧突起を有する、
請求項１乃至請求項４の何れか一項に記載の鍵装置。
【請求項６】
前記筐体が、停止部を有し、
前記係合部と前記固定部材とが係合しているときに、前記鍵ヘッドの一部が、前記停止部と前記入口との間で前記停止部に当接する、
請求項１乃至請求項５の何れか一項に記載の鍵装置。
【発明の詳細な説明】
【技術分野】
【０００１】
本発明は、鍵装置に関し、特に、鍵を筐体に収容可能な鍵装置に関するものである。
【背景技術】
【０００２】
特許文献１に記載のように、車両の扉に付いている錠の操作を無線通信により行う携帯型の鍵装置が知られている。携帯型の鍵装置には、無線通信により錠の操作を行うための電子回路に加えて、有体の鍵も搭載される。鍵は使用頻度が少ないため、筐体の収容部に収容される。長尺の鍵の持ち手側の一端が収容部の入口付近に位置し、鍵の他端が収容部の入口から遠い奥に位置する。収容部の奥で、鍵の他端に設けた穴に、筐体側の突起を差し込むことにより、鍵が筐体に固定される。
【先行技術文献】
【特許文献】
【０００３】
【特許文献１】特開２００５−２１３９３２号明細書
【発明の概要】
【発明が解決しようとする課題】
【０００４】
しかしながら、特許文献１に記載の鍵装置では、鍵の他端（すなわち、持ち手とは逆側の端部）に、鍵を固定する穴のための余分な領域が必要となる。その結果、車両側のキーシリンダーの奥に余分なスペースが必要となるという不利益がある。また、鍵の他端で鍵を筐体に固定するので、収容部の入口付近で鍵の持ち手側の端部が固く固定されないという不利益がある。
【０００５】
本発明はかかる事情に鑑みてなされたものであり、その目的は、鍵の寸法を抑えながら鍵を筐体に固く固定できる鍵装置を提供することにある。
【課題を解決するための手段】
【０００６】
本発明は、鍵と筐体とを備える鍵装置であって、筐体が、入口と、入口から奥に向けて窪んでいる収容部と、鍵を着脱可能に固定する固定部材と、を含み、鍵が、先端と基端と中継部とを含み、先端は、鍵が収容部に収容されたときに収容部の奥側に位置し、基端は、鍵が収容部に収容されたときに収容部の入口側に位置し、中継部は、先端と基端との間に位置し、鍵が、錠操作に使用される凹凸が形成された鍵本体と、鍵本体に接続された鍵ヘッドと、を含み、鍵本体が、先端と中継部との間に延びており、鍵ヘッドが、中継部と基端との間に延びており、鍵ヘッドが、係合部を有し、固定部材が、係合部に係合して鍵を固定する第１位置と、係合部との係合を解除して鍵を移動可能にする第２位置と、に移動可能である、鍵装置である。
【０００７】
この構成によれば、基端に近い鍵ヘッドに係合部が設けられているので、鍵本体の先端付近に鍵を固定するための無駄な領域を設ける必要がない。さらに、収容部の入口に近い位置で鍵ヘッドを固定するので、鍵本体の先端付近を固定する場合に比べて、外力により鍵が動きにくい。すなわち、鍵の寸法を抑えながら鍵を筐体に固く固定できる。
【０００８】
好適には本発明の鍵装置において、固定部材を付勢する付勢部材をさらに備え、固定部材が、筐体により第１位置と第２位置との間で回転可能に支持されており、固定部材が、操作部を含み、操作部が筐体内に向けて移動するのに伴って、固定部材が第１位置から第２位置に回転し、操作部が筐体外に向けて移動するのに伴って、固定部材が第２位置から第１位置に回転し、付勢部材が、固定部材を第２位置から第１位置に向かう方向に付勢している。
【０００９】
この構成によれば、使用者が操作部を筐体内に向けて移動させることにより、簡単に錠の固定を解除でき、さらに、使用者が操作部を離すと付勢部材により自動的に鍵を固定することができる。
【００１０】
好適には本発明の鍵装置において、筐体が、外部に露出した外面と、外面に開口した開口部と、を含み、固定部材の一部が開口部から筐体の外部に露出しており、操作部の少なくとも一部が、開口部上の２点を結ぶすべての直線により形成される仮想領域に交差する位置にある状態において、固定部材と係合部とが係合し、仮想領域よりも筐体の内側に操作部が押し込まれた状態において、固定部材と係合部との係合が解除される。
【００１１】
この構成によれば、使用者が鍵装置を携帯しているときに、意図せず操作部が押されても、係合部と固定部材との係合を解除しにくい。
【００１２】
好適には本発明の鍵装置において、係合部が、第１当接面をもち、固定部材が、第２当接面をもち、第１当接面と第２当接面との一方の面が凸状の曲面であり、他方の面が略平面であり、他方の面が、鍵の移動方向と移動方向に直交する方向との両方に対して交差し、係合部と固定部材とが係合しているときに、固定部材の一部が、鍵ヘッドの一部と入口との間に位置し、係合部と固定部材とが係合しているときに、第２当接面が入口側から奥側に向けて第１当接面に当接する。
【００１３】
この構成によれば、第１当接面と第２当接面との一方が凸状の曲面であり、他方が略平面であるので、第１当接面と第２当接面との両方が略平面である場合に比べて、鍵装置の寸法誤差があっても安定して鍵を固定できる。さらに、略平面である他方の面が鍵の移動方向と移動方向に直交する方向との両方に対して交差するので、鍵装置に寸法誤差があっても安定して鍵を固定できる。
【００１４】
好適には本発明の鍵装置において、固定部材が、第１位置から第２位置に回転するときに鍵ヘッドを入口に向けて押圧する押圧突起を有する。
【００１５】
この構成によれば、鍵が入口に押されて、使用者が鍵をつかみやすい。
【００１６】
好適には本発明の鍵装置において、筐体が、停止部を有し、係合部と固定部材とが係合しているときに、鍵ヘッドの一部が、停止部と入口との間で停止部に当接する。
【００１７】
この構成によれば、係合部と固定部材とが係合しているときに、固定部材により鍵の移動を防ぐと同時に、鍵ヘッドの一部を停止部に固定することができるので、鍵を安定して固定することができる。
【発明の効果】
【００１８】
本発明によれば、鍵の寸法を抑えながら鍵を筐体に固く固定できる鍵装置を提供することができる。
【図面の簡単な説明】
【００１９】
【図１】本発明の第１実施形態の鍵装置をｚ１側から見た斜視図である。
【図２】図１の鍵装置をｚ２側から見た斜視図である。
【図３】ｚ１側から見た図１の鍵装置の分解斜視図である。
【図４】ｚ２側から見た図２の鍵装置の分解斜視図である。
【図５】図３に示す下部筐体と付勢部材との平面図である。
【図６】ｙ２方向に見た鍵装置の側面図である。
【図７】係合した状態における鍵と固定部材との部分平面図である。
【図８】図３に示す下部筐体と鍵と固定部材と付勢部材との平面図である。
【図９】ｚ２側から見た固定部材と付勢部材との斜視図である。
【図１０】鍵収容状態であって、さらに、第１の大きさの外力が印加されている状態における、下部筐体と鍵と固定部材と付勢部材との平面図である。
【図１１】鍵収容状態であって、さらに、第２の大きさの外力が印加されている状態における、下部筐体と鍵と固定部材と付勢部材との平面図である。
【図１２】第３外面に平行な視線で見た、図８と同じ状態における鍵装置の斜視図である。
【図１３】第３外面に平行な視線で見た、図１０と同じ状態における鍵装置の斜視図である。
【図１４】第３外面に平行な視線で見た、図１１と同じ状態における鍵装置の斜視図である。
【図１５】第２実施形態の鍵装置の鍵と固定部材との部分平面図である。
【発明を実施するための形態】
【００２０】
（第１実施形態）
以下、本発明の第１実施形態に係る鍵装置について説明する。図１は、本実施形態の鍵装置１００をｚ１側から見た斜視図である。図２は、図１の鍵装置１００をｚ２側から見た斜視図である。図３は、ｚ１側から見た図１の鍵装置１００の分解斜視図である。図４は、ｚ２側から見た図１の鍵装置１００の分解斜視図である。図３に示すように、鍵装置１００は、筐体１１０とボタン１１１と鍵１２０と固定部材１３０と付勢部材１４０とを含む。
【００２１】
図１は、鍵１２０（図３）が筐体１１０内に収容された鍵収容状態を示す。図１に示すように、鍵装置１００は、略直方体形状の外形をもち、人が手で握れる程度の大きさをもつ。筐体１１０に搭載された４つのボタン１１１のいずれかが押されると、筐体１１０に内蔵された電子回路（図示せず）が車両と無線通信を行うことにより、車両の錠を制御する。４つのボタン１１１により、他の機能が起動されてもよい。
【００２２】
図３に示す鍵１２０は、固定部材１３０により鍵装置１００に着脱可能に固定されている。使用者が図１に示す固定部材１３０を操作することにより、図２に示す鍵１２０が鍵装置１００から取り外し可能となる。使用者が、鍵装置１００から取り外した鍵１２０を車両の鍵穴に差し込んで回すことにより、車両の錠に対して錠操作することができる。錠操作の例として、解錠と施錠とが挙げられる。使用後の鍵１２０は、鍵装置１００に戻して図１に示す固定部材１３０により固定される。
【００２３】
本明細書において、互いに直交するｘ方向、ｙ方向、及びｚ方向を規定する。ｘ方向は、互いに逆を向くｘ１方向とｘ２方向とを区別せずに表す。ｙ方向は互いに逆を向くｙ１方向とｙ２方向とを区別せずに表す。ｚ方向は互いに逆を向くｚ１方向とｚ２方向とを区別せずに表す。また、ｚ１側を上と表現し、ｚ２側を下と表現する場合がある。これらの方向は、相対的な位置関係を説明するために便宜上規定するのであって、実際の使用時の方向を限定するわけではない。構成要素の形状は、「略」という記載があるかないかにかかわらず、本明細書で開示された実施形態の技術思想が実現される限り、記載された表現に基づく厳密な幾何学的な形状に限定されない。
【００２４】
（筐体１１０）
図４に示すように、筐体１１０は、上部筐体１１２と内部筐体１１３と下部筐体１１４とを含む。
【００２５】
上部筐体１１２は、ｘｙ平面に略平行に広がる扁平な略直方体の外形をもつ。内部筐体１１３は、ｘｙ平面に略平行に広がる扁平な略直方体の外形をもつ。内部筐体１１３は、上部筐体１１２のｚ２側に固定されている。上部筐体１１２と内部筐体１１３との間に形成される図示しない空間内に、無線通信により車両の錠を制御する電子部品が搭載されている。図３に示すようにボタン１１１は、上部筐体１１２と内部筐体１１３との間に位置しており、上部筐体１１２のｚ１側の面から外部に露出している。
【００２６】
図４に示すように、内部筐体１１３のｘ方向の幅は、上部筐体１１２のｘ方向の幅よりも小さい。内部筐体１１３のｙ方向の幅は、上部筐体１１２のｙ方向の幅よりも小さい。上部筐体１１２のｚ２側の面には、ｘ方向に沿った２辺とｙ方向に沿った２辺とをもつ略長方形状の上側縁部１５１が形成される。上側縁部１５１は、ｘｙ平面に沿った面内で内部筐体１１３を囲む。上部筐体１１２のｘ１側端部には、環状の上側持ち手１５２が設けられている。
【００２７】
内部筐体１１３は、ｚ２方向を向いた内面１５３をもつ。内面１５３は、ｘｙ平面に略平行で、ｘ方向に略平行な２辺とｙ方向に略平行な２辺とをもつ。内部筐体１１３は、内面１５３からｚ１方向に窪んだ窪み１５４をもつ。窪み１５４は、内面１５３のｙ１側の縁部のｘ１側端部付近に位置する。内部筐体１１３は、窪み１５４内からｚ２方向に突出した略円柱形の固定シャフト１５５をもつ。内部筐体１１３は、内面１５３からｚ２方向に隆起した上側隆起部１５６をさらにもつ。上側隆起部１５６は、ｘ方向に直線状に延びている。
【００２８】
図３に示すように、下部筐体１１４は、底板１６１と側壁１６２と下側持ち手１６３とを含む。
【００２９】
図３に示すように、底板１６１は、ｘｙ平面に略平行に広がり、ｚ２方向に見たとき、ｘ方向に略平行な２辺とｙ方向に略平行な２辺とをもつ略長方形の外形をもつ。底板１６１は、ｚ１側を向いた底面１６４と、底面１６４からｚ２方向に窪んだ収容部１６５とをもつ。底面１６４は、ｘｙ平面に略平行である。収容部１６５のｚ方向の深さは、後述の鍵１２０のｚ方向の厚さと略同一かつ略一定である。
【００３０】
図５は、下部筐体１１４と付勢部材１４０との平面図である。収容部１６５は、第１領域１６５−１と第２領域１６５−２と第３領域１６５−３とをもつ。第１領域１６５−１は、底板１６１のｘ１側の縁部からｘ２方向に所定の位置まで延びている。ｙ方向において、第１領域１６５−１の幅は、底面１６４の全幅と略同一である。
【００３１】
第２領域１６５−２は、第１領域１６５−１からｘ２方向に奥１６５−４まで直線状に延びた帯状の領域である。奥１６５−４は、底板１６１内で、底板１６１のｘ２側端部付近に位置する。ｙ方向において、第１領域１６５−１の幅は、底面１６４の全幅より小さい。第２領域１６５−２は、底板１６１においてｙ２側に寄った位置にある。下部筐体１１４は、第２領域１６５−２内にｚ１方向に隆起した下側隆起部１６６をもつ。下側隆起部１６６は、第２領域１６５−２のｘ２側端部からｘ１方向に略直線状に延びている。
【００３２】
第３領域１６５−３は、第１領域１６５−１からｘ２方向に延びている。第３領域１６５−３は、第２領域１６５−２のｙ１側に位置している。第３領域１６５−３と第２領域１６５−２とは、ｙ方向に離れている。ｘ方向において、第３領域１６５−３の長さは、第２領域１６５−２の長さよりも短い。下部筐体１１４は、第３領域１６５−３において、底板１６１からｚ１方向に延びた略円筒形の下側シャフト１６７をもつ。
【００３３】
下部筐体１１４は、第２領域１６５−２と第３領域１６５−３との間に、停止部１６５−５をもつ。停止部１６５−５は、ｘ１方向を向いたｘ方向に略直交する平面であり、第１領域１６５−１に面している。
【００３４】
図３に示すように、側壁１６２の外形は、底板１６１の略長方形の外周縁からｚ１方向に延びた中空の略角柱である。側壁１６２は、ｚ１側に、ｘ方向に略平行な２辺とｙ方向に略平行な２辺とをもつ略長方形の下側縁部１６２−１をもつ。側壁１６２は、外部に露出した環状の第１外面１６８−１〜第４外面１６８−４（以下、区別せずに外面１６８と呼ぶ場合がある）をもつ。第１外面１６８−１は、ｘ１方向とｚ２方向との間の方向を向き、第２外面１６８−２は、ｘ２方向とｚ２方向との間の方向を向き、第３外面１６８−３は、ｙ１方向とｚ２方向との間の方向を向き、第４外面１６８−４は、ｙ２方向とｚ２方向との間の方向を向く。４つの外面１６８はいずれも略平面である。
【００３５】
図４に示すように、側壁１６２は、入口１６２−２をもつ。入口１６２−２は、ｘ２方向に見たとき、ｙ方向に長い略長方形の外形をもつ。入口１６２−２は、第１外面１６８−１から、収容部１６５（図３）の第１領域１６５−１までｘ方向に貫通している。すなわち、収容部１６５は、入口１６２−２から奥１６５−４に向けて窪んでいる。図４に示すように、入口１６２−２は、ｙ２方向にも開放されている。下部筐体１１４は、入口１６２−２のｙ２側端部につながる切り欠き１６２−５をもつ。
【００３６】
図６は、ｙ２方向に見た鍵装置１００の側面図である。側壁１６２は、開口部１６２−３と内側開口部１６２−４とをもつ。開口部１６２−３は、第３外面１６８−３に開口している。開口部１６２−３は、ｙ２方向に見たとき、ｘ方向に延びた略長方形である。側壁１６２は、開口部１６２−３内において、筐体１１０の内部に向けて窪んでいる。内側開口部１６２−４は、開口部１６２−３内の窪みの奥に位置している。内側開口部１６２−４は、ｙ２方向に見たとき、ｘ方向に延びた略長方形である。内側開口部１６２−４のｘ２側端部と、開口部１６２−３のｘ２側端部とが、ｘ方向に離間している。
【００３７】
図３に示すように、収容部１６５の第１領域１６５−１と第３領域１６５−３とは、ｙ方向において、内側開口部１６２−４を通って開口部１６２−３までつながっている。
【００３８】
組み立てた状態において、図３に示す下部筐体１１４の下側縁部１６２−１が、図４に示す内部筐体１１３の上側縁部１５１に密着して固定される。さらに、側壁１６２（図３）の一部が、ｘ方向の両側とｙ方向の両側とにおいて内部筐体１１３（図４）を覆う。底板１６１（図３）の底面１６４は、内部筐体１１３（図４）の内面１５３にｚ２側から近接して対向配置される。内部筐体１１３（図４）と下部筐体１１４（図３）との間には、収容部１６５ぶんの隙間が形成される。
【００３９】
図３に示す下側持ち手１６３は、側壁１６２のｘ１側に側壁１６２と一体的に形成された環状の部分である。図２に示すように、組み立てた状態において、上側持ち手１５２と下側持ち手１６３とがｚ方向に重なることにより、一体的に環状の持ち手を形成する。
【００４０】
（鍵）
図３に示すように、鍵１２０は、ｘ２側の先端１２１とｘ１側の基端１２２と中継部１２３とを含み、先端１２１から基端１２２までｘ方向に延びている。鍵１２０は、ｘｙ平面に略平行に広がる、略一定の厚さの板状部材である。中継部１２３は、先端１２１と基端１２２との間に位置する。中継部１２３は、先端１２１から遠く、かつ、基端１２２に近い。
【００４１】
鍵１２０は、先端１２１と中継部１２３との間に帯状に延びた鍵本体１２４と、中継部１２３と基端１２２との間に延びた鍵ヘッド１２５とを含む。鍵本体１２４と鍵ヘッド１２５とは、中継部１２３において接続されている。なお、中継部１２３は、鍵本体１２４と鍵ヘッド１２５との境界を便宜上指すのであり、目に見える境界があるとは限らない。鍵本体１２４には、車両の錠操作に使用される凹凸が形成されている。図面では、鍵本体１２４の凹凸は省略している。鍵ヘッド１２５は、鍵本体１２４よりもｙ１方向に突出している。鍵ヘッド１２５は、ｙ１側縁部からｙ２方向に窪んだ係合部１２５−１を有する。
【００４２】
図７は、係合した状態における鍵１２０と固定部材１３０との部分平面図である。係合部１２５−１は、鍵ヘッド１２５をｚ方向に貫通している。係合部１２５−１はｘ２側に、ｘ方向に略直交した第１面１２５−２をもつ。鍵ヘッド１２５は、ｙ１側縁部に第２面１２５−３をもつ。第２面１２５−３は、ｙ方向に略直交しており、係合部１２５−１のｘ２側に位置する。係合部１２５−１は、第１面１２５−２と第２面１２５−３との間に第１当接面１２５−４をもつ。第１当接面１２５−４は、ｚ方向に中心軸をもつ略円筒の４分の１の形状をもつ。第１当接面１２５−４は、ｘ１方向とｙ１方向との間を向いて突出した凸形状である。
【００４３】
図３に示すように、鍵ヘッド１２５の基端１２２は、ｘ方向に略直交する平面であり、ｙ方向に長い。鍵ヘッド１２５は、基端１２２に沿ってｙ２側端部からｙ２方向に突出したつまみ１２５−５を含む。
【００４４】
図８は、図３に示す下部筐体１１４と鍵１２０と固定部材１３０と付勢部材１４０との平面図である。図８に示すように、鍵収容状態において、先端１２１は、収容部１６５の奥１６５−４側に位置する。図２に示すように、鍵収容状態において、基端１２２は、収容部１６５の入口１６２−２側に位置する。図８に示すように、鍵本体１２４は、第２領域１６５−２内に位置する。鍵ヘッド１２５は、第１領域１６５−１に位置する。
【００４５】
図２に示すように、鍵収容状態において、鍵１２０の基端１２２は、下部筐体１１４の入口１６２−２付近に位置しており、第１外面１６８−１より下部筐体１１４の内部に位置している。つまみ１２５−５は、切り欠き１６２−５内に突出しているので、ｚ２方向とｙ２方向とから指でつまむことができる。
【００４６】
（固定部材）
図９は、ｚ２側から見た固定部材１３０と付勢部材１４０との斜視図である。固定部材１３０は、概ねｘ方向に長い部材である。図３に示すように、固定部材１３０は、ｚ１側の面からｚ２方向に窪んだ略円柱状の軸受穴１３１を含む。固定部材１３０は、軸受穴１３１からｘ２方向に延びた操作部１３２と、軸受穴１３１からｘ１方向に延びた従動部１３３とを含む。固定部材１３０は、従動部１３３のｘ１側端部からｙ２方向に突出した係合突起１３４をもつ。
【００４７】
図９に示すように、従動部１３３は、軸受穴１３１（図３）と係合突起１３４との間に、第２当接面１３５をもつ。第２当接面１３５は、ｚ方向に平行な略平面状であり、ｘ方向とｙ方向との両方に交差する。第２当接面１３５は、ｘ２方向とｙ２方向との間の方向を向いている。
【００４８】
固定部材１３０は、ｚ方向において、図３に示す軸受穴１３１の反対側に、図９に示す収納穴１３６を含む。収納穴１３６は、固定部材１３０のｚ２側の面からｚ１方向に窪んでおり、ｙ２方向に開放されている。
【００４９】
組み立てた状態において、固定部材１３０は、図４に示す内部筐体１１３の窪み１５４内に位置する。図４に示す固定シャフト１５５は、図３に示す軸受穴１３１内に位置する。図８に示すように、固定部材１３０の大部分が、第３領域１６５−３と第１領域１６５−１とに位置する。図９に示す収納穴１３６は、図５に示す下部筐体１１４の下側シャフト１６７の周囲に位置する。図４に示す固定部材１３０は、ｚ方向において、内部筐体１１３と下部筐体１１４とに挟まれており、固定シャフト１５５を中心としてｘｙ平面に平行な面内で回転可能である。図６に示すように、固定部材１３０の一部が開口部１６２−３から筐体１１０の外部に露出している。
【００５０】
（付勢部材）
図９に示すように、付勢部材１４０は、線状の金属で形成されている。付勢部材１４０は、螺旋状に巻かれて巻きばねとして機能する螺旋部１４０−１と、螺旋部１４０−１の一端から直線状に延びた第１直線部１４０−２と、螺旋部１４０−１の他端から直線状に延びた第２直線部１４０−３とを含む。
【００５１】
図９に示すように、螺旋部１４０−１は、固定部材１３０の収納穴１３６内に収納されている。図５に示すように、螺旋部１４０−１は、下部筐体１１４の下側シャフト１６７の周囲に巻かれている。図９に示すように、第１直線部１４０−２は、収納穴１３６内で、固定部材１３０を概ねｙ１方向に付勢している。図５に示すように、第２直線部１４０−３は、固定部材１３０を概ねｙ２方向に付勢している。
【００５２】
付勢部材１４０は、巻きばねとして機能する部材に限るわけではない。他の例において、付勢部材１４０は、板バネやゴムなど、固定部材１３０を弾性的に付勢可能な他の部材でもよい。
【００５３】
（動作）
既に説明した図８は、鍵収容状態であって、固定部材１３０に外力が印加されていない状態における、下部筐体１１４と鍵１２０と固定部材１３０と付勢部材１４０との平面図である。図８における固定部材１３０の位置を、第１位置と呼ぶ。
【００５４】
図１０は、鍵収容状態であって、さらに、固定部材１３０に第１の大きさの外力が印加されている状態における、下部筐体１１４と鍵１２０と固定部材１３０と付勢部材１４０との平面図である。図１０における固定部材１３０の位置を、中間位置と呼ぶ。
【００５５】
図１１は、鍵収容状態であって、さらに、固定部材１３０に第２の大きさの外力が印加されている状態における、下部筐体１１４と鍵１２０と固定部材１３０と付勢部材１４０との平面図である。図１１における固定部材１３０の位置を、第２位置と呼ぶ。
【００５６】
図４に示す固定部材１３０が、筐体１１０の固定シャフト１５５により第１位置（図８）と第２位置（図１１）との間で回転可能に支持されている。固定部材１３０は、鍵１２０の係合部１２５−１に係合して鍵１２０を固定する第１位置（図８）から、中間位置（図１０）を経て、係合部１２５−１から解除されて鍵１２０を移動可能にする第２位置（図１１）まで回転移動可能である。また、固定部材１３０は、第２位置（図１１）から、中間位置（図１０）を経て、第１位置（図８）まで逆方向に回転移動可能である。
【００５７】
固定部材１３０が第１位置（図８）から第２位置（図１１）に回転するとき、操作部１３２が筐体１１０内に向けて移動すると同時に、従動部１３３が筐体１１０外に向けて移動する。固定部材１３０が第２位置（図１１）から第１位置（図８）に回転するとき、操作部１３２が筐体１１０外に向けて移動すると同時に、従動部１３３が筐体１１０内に向けて移動する。付勢部材１４０は、第２位置（図１１）から第１位置（図８）に復帰するように固定部材１３０を弾性的に付勢している。
【００５８】
第１位置（図８）において、係合部１２５−１と固定部材１３０とが完全に係合している。係合部１２５−１と固定部材１３０とが係合しているとき、固定部材１３０の一部である係合突起１３４が、鍵ヘッド１２５の一部と入口１６２−２（図２）との間に位置している。鍵１２０は、係合突起１３４に阻止されるので、ｘ１方向に向けて移動できない。なお、ｘ方向が、鍵１２０の移動方向である。
【００５９】
図８に示すように、固定部材１３０の従動部１３３は、付勢部材１４０により係合部１２５−１に向けて弾性的に付勢されている。図７に示すように、係合部１２５−１と固定部材１３０とが係合しているときに、固定部材１３０の第２当接面１３５が、鍵１２０の第１当接面１２５−４に当接する。鍵１２０の移動方向であるｘ方向成分のみを考えると、第２当接面１３５が入口１６２−２（図２）側から奥１６５−４（図３）側に向けて第１当接面１２５−４に当接する。
【００６０】
図８に示すように、係合部１２５−１と固定部材１３０とが係合しているときに、鍵ヘッド１２５の一部が、停止部１６５−５と入口１６２−２（図２）との間で停止部１６５−５に当接する。従って、鍵１２０は、係合突起１３４と停止部１６５−５との間で固定される。
【００６１】
鍵収容状態において、鍵１２０は、図４に示す上側隆起部１５６と図３に示す下側隆起部１６６とに挟まれるので、ｚ方向に動かない。ｙ方向において、鍵本体１２４の幅は、収容部１６５の第２領域１６５−２の幅と略同一である。従って、鍵収容状態において、鍵１２０は、ｙ方向に動かない。鍵１２０の移動方向は、筐体１１０によりｘ方向に制限されている。
【００６２】
第１位置（図８）にある固定部材１３０の操作部１３２を、開口部１６２−３（図６）を介してｙ２方向に押し込むと、固定部材１３０が中間位置（図１０）に移動する。中間位置（図１０）では、固定部材１３０の第２当接面１３５（図７）が、鍵１２０の第１当接面１２５−４（図７）から離れるので、鍵１２０がある程度動く。しかし、図１０に示すように、依然、係合突起１３４が鍵ヘッド１２５の一部と入口１６２−２（図２）との間に位置するので、固定部材１３０が鍵１２０と係合している。すなわち、鍵１２０は、筐体１１０から取り出せない。
【００６３】
中間位置（図１０）にある固定部材１３０の操作部１３２を、開口部１６２−３（図６）を介してｙ２方向にさらに押し込むと、固定部材１３０が第２位置（図１１）に移動する。第２位置（図１１）では、係合突起１３４が鍵ヘッド１２５の一部と入口１６２−２（図２）との間に位置しないので、固定部材１３０と鍵１２０との係合が解除されている。すなわち、鍵１２０は、筐体１１０から取り出し可能である。
【００６４】
第２位置（図１１）にある固定部材１３０の操作部１３２に加わる力を弱めると、付勢部材１４０の弾性力により固定部材１３０が、中間位置（図１０）を経て、第１位置（図８）に戻る。
【００６５】
（固定部材の位置と係合との関係）
図１２は、図８と同じ状態（すなわち、固定部材１３０が第１位置にある状態）における鍵装置１００の斜視図である。図１２は、第３外面１６８−３に平行な視線で、ｚ１側から鍵装置１００を見た図である。図１２に示す状態において、固定部材１３０の操作部１３２の一部が、開口部１６２−３（図６）から突出している。
【００６６】
図１２に示す状態において、固定部材１３０（図８）の操作部１３２の一部が、開口部１６２−３（図６）から突出している。すなわち、操作部１３２の少なくとも一部が、開口部１６２−３（図６）上の２点を結ぶすべての直線により形成される仮想領域に交差する位置にある。本実施形態において、仮想領域は、図６に示す第３外面１６８−３に沿って開口部１６２−３を覆う仮想平面である。図１２に示す状態では、図８に示すように、固定部材１３０と係合部１２５−１とが係合している。
【００６７】
図１３は、図１０と同じ状態（すなわち、固定部材１３０が中間位置にある状態）における鍵装置１００の斜視図である。図１３は、第３外面１６８−３に平行な視線で、ｚ２側から鍵装置１００を見た図である。
【００６８】
図１３に示す状態において、固定部材１３０の操作部１３２のｙ１側端部が、図６に示す第３外面１６８−３に沿って開口部１６２−３を覆う仮想平面上にある。すなわち、操作部１３２の少なくとも一部が、開口部１６２−３（図６）上の２点を結ぶすべての直線により形成される仮想領域に接する位置にある。なお、本実施形態では、操作部１３２が仮想領域に接する状態も、交差すると呼ぶ。図１３に示す状態では、図１０に示すように、固定部材１３０と係合部１２５−１とが係合している。
【００６９】
図１４は、図１１と同じ状態（すなわち、固定部材１３０が第２位置にある状態）における鍵装置１００の斜視図である。図１４は、第３外面１６８−３に平行な視線で、ｚ２側から鍵装置１００を見た図である。
【００７０】
図１４に示す状態において、固定部材１３０の操作部１３２（図１１）が、図６に示す第３外面１６８−３に沿って開口部１６２−３を覆う仮想平面よりも、筐体１１０の内側に押し込まれている。図１４に示す状態では、図１１に示すように、固定部材１３０と係合部１２５−１との係合が解除される。
【００７１】
なお、図７に示す第１当接面１２５−４と第２当接面１３５との一方の面が凸状の曲面であり、他方の面が略平面であればよい。すなわち、他の例において、第１当接面１２５−４が平面で、第２当接面１３５が凸状の曲面であってもよい。
【００７２】
（まとめ）
本実施形態によれば、基端１２２に近い鍵ヘッド１２５に係合部１２５−１が設けられているので、鍵本体１２４の先端１２１付近に鍵１２０を固定するための無駄な領域を設ける必要がない。さらに、収容部１６５の入口１６２−２に近い位置で鍵ヘッド１２５を固定するので、鍵本体１２４の先端１２１付近を固定する場合に比べて、外力により鍵１２０が動きにくい。すなわち、鍵１２０の寸法を抑えながら鍵１２０を筐体１１０に固く固定できる。
【００７３】
本実施形態によれば、固定部材１３０を付勢する付勢部材１４０をさらに備え、固定部材１３０が、筐体１１０により第１位置と第２位置との間で回転可能に支持されており、固定部材１３０が、操作部１３２を含み、操作部１３２が筐体１１０内に向けて移動するのに伴って、固定部材１３０が第１位置から第２位置に回転し、操作部１３２が筐体１１０外に向けて移動するのに伴って、固定部材１３０が第２位置から第１位置に回転し、付勢部材１４０が、固定部材１３０を第２位置から第１位置に向かう方向に付勢している。従って、使用者が操作部１３２を筐体１１０内に向けて移動させることにより、簡単に錠の固定を解除でき、さらに、使用者が操作部１３２を離すと付勢部材１４０により自動的に鍵１２０を固定することができる。
【００７４】
本実施形態によれば、筐体１１０が、外部に露出した外面１６８と、外面１６８に開口した開口部１６２−３と、を含み、固定部材１３０の一部が開口部１６２−３から筐体１１０の外部に露出しており、操作部１３２の少なくとも一部が、開口部１６２−３上の２点を結ぶすべての直線により形成される仮想領域に交差する位置にある状態において、固定部材１３０と係合部１２５−１とが係合し、仮想領域よりも筐体１１０の内側に操作部１３２が押し込まれた状態において、固定部材１３０と係合部１２５−１との係合が解除される。従って、使用者が鍵装置１００を携帯しているときに、意図せず操作部１３２が押されても、係合部１２５−１と固定部材１３０との係合を解除しにくい。
【００７５】
本実施形態によれば、係合部１２５−１が、第１当接面１２５−４をもち、固定部材１３０が、第２当接面１３５をもち、第１当接面１２５−４と第２当接面１３５との一方の面が凸状の曲面であり、他方の面が略平面である。従って、第１当接面１２５−４と第２当接面１３５との両方が略平面である場合に比べて、鍵装置１００の寸法誤差があっても安定して鍵１２０を固定できる。さらに、他方の面が、鍵１２０の移動方向（ｘ方向）と移動方向に直交する方向（ｙ方向及びｚ方向）との両方に対して交差し、係合部１２５−１と固定部材１３０とが係合しているときに、固定部材１３０の一部が、鍵ヘッド１２５の一部と入口１６２−２との間に位置し、係合部１２５−１と固定部材１３０とが係合しているときに、第２当接面１３５が入口１６２−２側から奥１６５−４側に向けて第１当接面１２５−４に当接する。従って、鍵装置１００に寸法誤差があっても安定して鍵１２０を固定できる。
【００７６】
本実施形態によれば、筐体１１０が、停止部１６５−５を有し、係合部１２５−１と固定部材１３０とが係合しているときに、鍵ヘッド１２５の一部が、停止部１６５−５と入口１６２−２との間で停止部１６５−５に当接するので、係合部１２５−１と固定部材１３０とが係合しているときに、固定部材１３０により鍵１２０の移動を防ぐと同時に、鍵ヘッド１２５の一部を停止部１６５−５に固定することができるので、鍵１２０を安定して固定することができる。
【００７７】
（第２実施形態）
図１５は、第２実施形態の鍵装置の鍵２２０と固定部材２３０との部分平面図である。図１５に示す範囲は、第１実施形態の図７に示す範囲に対応する。第２実施形態の鍵２２０は、第１実施形態の鍵１２０（図７）と同じである。第２実施形態の鍵装置は、固定部材２３０を除いて、第１実施形態と同様であるので、差異点以外の説明は省略する。図１〜図１４に示す第１実施形態の鍵装置１００では、各構成要素の百の位が１で表されており、図１５に示す第２実施形態の鍵装置では、各構成要素の百の位が２で表されている。別段断りのない限り、百の位のみが異なる構成要素は、それぞれ、同様の構成要素を表す。
【００７８】
図１５に示す第２実施形態の固定部材２３０は、押圧突起２３７をさらに含む点を除いて、第１実施形態の固定部材１３０（図７）と同じである。図１５に示すように、固定部材２３０と係合部２２５−１とが係合した状態において、押圧突起２３７は、係合突起１３４のｘ２側に位置する。押圧突起２３７は、鍵収容状態において、鍵２２０の鍵ヘッド２２５のｘ２側に位置する。
【００７９】
固定部材２３０が、第１位置（図８と同様の位置）から第２位置（図１１と同様の位置）に回転するときに、押圧突起２３７は、鍵ヘッド２２５を入口（第１実施形態の入口１６２−２（図２）に対応する）に向けて押圧する。
【００８０】
（まとめ）
本変形例によれば、押圧突起２３７を有するので、鍵１２０が入口に押されて、使用者が鍵１２０をつかみやすい。
【００８１】
本発明は上述した実施形態には限定されない。すなわち、当業者は、本発明の技術的範囲またはその均等の範囲内において、上述した実施形態の構成要素に関し、様々な変更、コンビネーション、サブコンビネーション、並びに代替を行ってもよい。
【産業上の利用可能性】
【００８２】
本発明は、鍵を筐体に固定可能な鍵装置に適用可能である。
【符号の説明】
【００８３】
１００…鍵装置、１１０…筐体、１２０…鍵、１２１…先端、１２２…基端
１２３…中継部、１２４…鍵本体、１２５…鍵ヘッド、１２５−１…係合部
１２５−４…第１当接面、１３０…固定部材、１３２…操作部、１３５…第２当接面
１４０…付勢部材、１６２−２…入口、１６２−３…開口部、１６５…収容部
１６５−４…奥、１６５−５…停止部、１６８…外面
２２０…鍵、２２５…鍵ヘッド、２２５−１…係合部、２３０…固定部材
２３７…押圧突起
【図１】
2018162646.tif 000003
【図２】
2018162646.tif 000004
【図３】
2018162646.tif 000005
【図４】
2018162646.tif 000006
【図５】
2018162646.tif 000007
【図６】
2018162646.tif 000008
【図７】
2018162646.tif 000009
【図８】
2018162646.tif 000010
【図９】
2018162646.tif 000011
【図１０】
2018162646.tif 000012
【図１１】
2018162646.tif 000013
【図１２】
2018162646.tif 000014
【図１３】
2018162646.tif 000015
【図１４】
2018162646.tif 000016
【図１５】
2018162646.tif 000017